(57)【特許請求の範囲】
【請求項１】
被印字テープを供給可能なカートリッジを着脱可能なカートリッジホルダと、
前記カートリッジホルダに装着した前記カートリッジから供給される前記被印字テープを搬送する搬送手段と、
前記搬送手段により搬送される前記被印字テープに印字を行う印字手段と、
情報を記憶するメモリと、
外部から取得した１つのラベルイメージデータと、当該ラベルイメージデータに対応する１つの二次元コードとを、一組に関連づけて前記メモリに格納する格納処理手段と、
前記メモリに格納された複数組の前記ラベルイメージデータ及び前記二次元コードを、各組ごとに選択的に前記メモリから消去可能な消去処理手段と、
前記メモリに格納された複数組の前記ラベルイメージデータ及び前記二次元コードに基づき、各組の前記ラベルイメージデータ及び前記二次元コードを前記被印字テープに印字することでそれぞれ１つの印字ラベルを作成するように、前記印字手段を制御する印字制御手段と、
を有し、
前記消去処理手段は、前記メモリから前記ラベルイメージデータ及び前記二次元コードの組を消去する前に、消去対象の前記ラベルイメージデータ及び前記二次元コードの組を印字する
ことを特徴とする印字ラベル作成装置。
【請求項２】
請求項１記載の印字ラベル作成装置において、
前記外部から取得された前記１つのラベルイメージデータをコード化して対応する１つの前記二次元コードを生成する、二次元コード生成手段をさらに有し、
前記格納処理手段は、
１つの前記ラベルイメージデータと、これに対応して前記二次元コード生成手段により生成された１つの前記二次元コードとを、一組に関連づけて前記メモリに格納し、
前記印字制御手段は、
前記メモリに格納された、前記ラベルイメージデータと当該ラベルイメージデータがコード化されて生成された前記二次元コードとを、一組にして前記被印字テープに印字を行い、１つの印字ラベルを作成するように前記印字手段を制御する
ことを特徴とする印字ラベル作成装置。
【請求項３】
請求項２記載の印字ラベル作成装置において、
前記二次元コード生成手段は、
前記１つのラベルイメージデータに対して最適な印字解像度情報を、当該ラベルイメージデータとともにコード化し、対応する１つの前記二次元コードを生成する
ことを特徴とする印字ラベル作成装置。
【請求項４】
請求項１乃至請求項３のいずれか１項記載の印字ラベル作成装置において、
前記メモリは、さらに、
１つのテキストデータと、当該テキストデータをコード化した１つの二次元コードとを、一組に関連づけて記憶しており、
前記印字制御手段は、
前記メモリに記憶された、前記テキストデータと当該テキストデータをコード化した前記二次元コードとを、一組にして前記被印字テープに印字を行い、１つの印字ラベルを作成するように前記印字手段を制御する
ことを特徴とする印字ラベル作成装置。
【請求項５】
請求項１乃至請求項４のいずれか１項記載の印字ラベル作成装置において、
前記印字制御手段の制御に基づき前記印字手段により作成された１つの前記印字ラベルの、前記二次元コードを光学的に読み取る読み取り手段をさらに有し、
前記印字制御手段は、
前記メモリの記憶内容に基づき、前記読み取り手段により読み取られた前記二次元コードに対応したラベルイメージデータ又はテキストデータを前記被印字テープに印字し、新たな印字ラベルを作成するように、前記印字手段を制御する
ことを特徴とする印字ラベル作成装置。
【請求項６】
請求項５記載の印字ラベル作成装置において、
前記読み取り手段による読み取り動作を開始操作するための操作手段をさらに有する
ことを特徴とする印字ラベル作成装置。
【発明の詳細な説明】
【技術分野】
【０００１】
本発明は、被印字テープに対し印字を行うことにより印字ラベルを作成する印字ラベル作成装置に関する。
【背景技術】
【０００２】
従来、被印字テープに対し印字を行って印字ラベルを作成する印字ラベル作成装置が知られている（例えば、特許文献１参照）。この従来技術の印字ラベル作成装置（テープ印字装置）は、印字手段（サーマルヘッド）、プラテンローラ、送りローラ、及びメモリ（バッテリーバックアップＲＡＭ）等を備えている。そして、挿入する文章データと挿入される文章データとの間に改ブロックを指令する改ブロックデータを付加して文章データを作成し、その文章データを印字用のドットパターンデータに変換して、印字手段により被印字テープ（印字用テープ）に印字を行う。
【先行技術文献】
【特許文献】
【０００３】
【特許文献１】特開平６−１５９０９号公報
【発明の概要】
【発明が解決しようとする課題】
【０００４】
上記従来技術のようにメモリを備えた印字ラベル作成装置には、メモリに予め複数のラベルイメージデータが格納されていると共に、外部からラベルイメージデータを取得し、当該取得したラベルイメージデータをメモリに格納可能な印字ラベル作成装置が存在する。しかしながら、このような印字ラベル作成装置を用いて、所望のラベルイメージを備えた印字ラベルを作成する際には、一般に、ユーザは、メモリに格納された複数のラベルイメージデータのうち、所望のラベルイメージのラベルイメージデータに対応するコード等を、例えば取扱説明書等を参照しつつ入力する必要があるため、不便である。また、外部から取得したラベルイメージデータをメモリに順次格納していると、メモリの記憶容量が一杯になってしまい、それ以上格納できなくなってしまうことが予想されるため、不便である。
【０００５】
本発明の目的は、所望のラベルイメージを備えた印字ラベルを簡単に作成できると共に、メモリに格納されたラベルイメージデータを消去でき、ユーザの利便性を向上できる印字ラベル作成装置を提供することにある。
【課題を解決するための手段】
【０００６】
上記目的を達成するために、第１の発明は、被印字テープを供給可能なカートリッジを着脱可能なカートリッジホルダと、前記カートリッジホルダに装着した前記カートリッジから供給される前記被印字テープを搬送する搬送手段と、前記搬送手段により搬送される前記被印字テープに印字を行う印字手段と、情報を記憶するメモリと、外部から取得した１つのラベルイメージデータと、当該ラベルイメージデータに対応する１つの二次元コードとを、一組に関連づけて前記メモリに格納する格納処理手段と、前記メモリに格納された複数組の前記ラベルイメージデータ及び前記二次元コードを、各組ごとに選択的に前記メモリから消去可能な消去処理手段と、前記メモリに格納された複数組の前記ラベルイメージデータ及び前記二次元コードに基づき、各組の前記ラベルイメージデータ及び前記二次元コードを前記被印字テープに印字することでそれぞれ１つの印字ラベルを作成するように、前記印字手段を制御する印字制御手段と、を有し、前記消去処理手段は、前記メモリから前記ラベルイメージデータ及び前記二次元コードの組を消去する前に、消去対象の前記ラベルイメージデータ及び前記二次元コードの組を印字することを特徴とする。
【０００７】
本願第１発明においては、所望のラベルイメージと、これに対応する二次元コードとが形成された、印字ラベルを作成することができる。すなわち、装置外部から取得した１つのラベルイメージデータと、当該ラベルイメージデータに対応する１つの二次元コードとが、格納処理手段によってメモリに格納され、記憶される。そして、印字手段は、印字制御手段の制御により、この格納されたラベルイメージデータと二次元コードとを一組にして、被印字テープに印字し、１つの印字ラベルを作成する。メモリは、このようなラベルイメージデータと二次元コードとの組を複数組格納しており、印字手段は、各組のラベルイメージデータ及び二次元コードを用いて、それぞれ１つの印字ラベルを作成することができる。
【０００８】
このようにして作成された印字ラベルには、上記ラベルイメージデータに対応したラベルイメージと、それに対応する二次元コードとが形成されている。これにより、当該印字ラベルが使用されて貼られた後、当該印字ラベルの二次元コードに対し適宜の装置によって読み取りを行うだけで、当該印字ラベルに形成されたラベルイメージのラベルイメージデータを取得することができる。この結果、上記貼られた印字ラベルのラベルイメージと同一のラベルイメージを備えた新たな印字ラベルを、簡単に作成することができる。上記複数組のラベルイメージデータ及び二次元コードを各組ごとに用いて複数枚の印字ラベルを作成した場合には、当該複数枚のラベルを１枚の用紙に貼って一覧表形式とすることもできる。この場合には、ユーザは、一覧表として貼られた複数枚のラベルのラベルイメージの中から１つを選択し、当該印字ラベルの二次元コードに対して読み取りを行うことで、上記のようにして同一のラベルイメージが形成された印字ラベルを容易に作成することができる。
【０００９】
また、本願第１発明の印字ラベル作成装置には、消去処理手段が備えられている。前述のようにして、外部から取得されたラベルイメージデータ及びこれに対応する二次元コードが一組になってメモリに順次格納されるが、メモリの記憶容量が一杯になった場合には、上記消去処理手段が、各組ごとに上記ラベルイメージデータ及び二次元コードを消去することができる。この場合、消去する組のラベルイメージデータ及び二次元コードについては、消去前に当該ラベルイメージデータ及び二次元コードを印字して印字ラベルを作成しておけば、メモリからは消去されてもデータとしては失われない。
【００１０】
以上のように、本願第１発明においては、ラベルイメージと、これに対応した二次元コードとを形成した印字ラベルを作成することができるので、ユーザの利便性を向上することができる。
【００１１】
第２の発明は、上記第１発明において、前記外部から取得された前記１つのラベルイメージデータをコード化して対応する１つの前記二次元コードを生成する、二次元コード生成手段をさらに有し、前記格納処理手段は、１つの前記ラベルイメージデータと、これに対応して前記二次元コード生成手段により生成された１つの前記二次元コードとを、一組に関連づけて前記メモリに格納し、前記印字制御手段は、前記メモリに格納された、前記ラベルイメージデータと当該ラベルイメージデータがコード化されて生成された前記二次元コードとを、一組にして前記被印字テープに印字を行い、１つの印字ラベルを作成するように前記印字手段を制御することを特徴とする。
【００１２】
本願第２発明においては、外部から取得されたラベルイメージデータに対し、二次元コード生成手段が対応する二次元コードを生成し、これを格納処理手段がメモリに格納する。これにより、外部からどのような種類や態様のラベルイメージデータが取得された場合であっても、これを二次元コード化して印字した印字ラベルを作成することができる。すなわち、本願第２発明の印字ラベル作成装置においては、どのようなラベルイメージであっても、確実に再現可能な二次元コードとして、印字ラベルに記録することができる。
【００１３】
第３の発明は、上記第２発明において、前記二次元コード生成手段は、前記１つのラベルイメージデータに対して最適な印字解像度情報を、当該ラベルイメージデータとともにコード化し、対応する１つの前記二次元コードを生成することを特徴とする。
【００１４】
これにより、印字ラベルに形成された二次元コードを読み取って、対応するラベルイメージデータを印字してラベルイメージを形成するとき、当該ラベルイメージデータの印字に対し最適な解像度で印字を行うことができる。すなわち、当該印字を行う印字装置の通常の解像度が異なる値である場合であっても、上記最適な解像度に確実に切り替えて当該ラベルイメージデータの印字を行うことができる。これにより、最適な解像度により所望の大きさで印字できるので見栄えのよいラベルイメージを確実に形成することができる。
【００１５】
第４の発明は、上記第１乃至第３発明のいずれかにおいて、前記メモリは、さらに、１つのテキストデータと、当該テキストデータをコード化した１つの二次元コードとを、一組に関連づけて記憶しており、前記印字制御手段は、前記メモリに記憶された、前記テキストデータと当該テキストデータをコード化した前記二次元コードとを、一組にして前記被印字テープに印字を行い、１つの印字ラベルを作成するように前記印字手段を制御することを特徴とする。
【００１６】
これにより、ラベルイメージのみならず、テキストと、これに対応した二次元コードとを形成した印字ラベルを作成することができる。したがって、ユーザの利便性をさらに向上することができる。
【００１７】
第５の発明は、上記第１乃至第４発明のいずれかにおいて、前記印字制御手段の制御に基づき前記印字手段により作成された１つの前記印字ラベルの、前記二次元コードを光学的に読み取る読み取り手段をさらに有し、前記印字制御手段は、前記メモリの記憶内容に基づき、前記読み取り手段により読み取られた前記二次元コードに対応したラベルイメージデータ又はテキストデータを前記被印字テープに印字し、新たな印字ラベルを作成するように、前記印字手段を制御することを特徴とする。
【００１８】
本願第５発明の印字ラベル作成装置は、自らが作成した印字ラベルの二次元コードを読み取り可能な読み取り手段を有している。これにより、当該印字ラベルの二次元コードに対し上記読み取り手段を操作して読み取りを行わせるだけで、当該印字ラベルに形成されたラベルイメージと同一のラベルイメージを備えた印字ラベルを、簡単に再作成することができる。したがって、メモリ内に格納されたラベルイメージデータをいちいち検索し操作手段等により指定する必要があった従来構造に比べ、極めて容易に所望のラベルイメージの印字ラベルを作成することができる。
【００１９】
第６の発明は、上記第５発明において、前記読み取り手段による読み取り動作を開始操作するための操作手段をさらに有することを特徴とする。
【００２０】
これにより、ユーザの所望のタイミングで印字ラベルの二次元コードの読み取りを開始し、対応するラベルイメージの印字ラベルを作成することができる。
【発明の効果】
【００２１】
本発明によれば、所望のラベルイメージを備えた印字ラベルを簡単に作成できると共に、メモリに格納されたラベルイメージデータを消去でき、ユーザの利便性を向上できる。
【図面の簡単な説明】
【００２２】
【図１】本発明の一実施の形態の印字ラベル作成装置を表す前面図及び右側面図である。
【図２】印字ラベル作成装置の詳細機能を表す機能ブロック図である。
【図３】印字ラベル作成装置の制御回路によって実行される、格納処理に関する制御手順の一例を表すフローチャートである。
【図４】印字ラベル作成装置の制御回路によって実行される、消去処理に関する制御手順の一例を表すフローチャートである。
【図５】ラベルイメージ及びＱＲコードが形成された印字ラベルを作成する際に、印字ラベル作成装置の制御回路によって実行される制御手順を表すフローチャートである。
【図６】印字ラベルの外観の一例を表す上面図である。
【図７】複数枚の印字ラベルが貼られた用紙を表す説明図である。
【図８】テキスト及びこれに対応するＱＲコードが形成された印字ラベルを作成する変形例において、テキスト及びＱＲコードが形成された印字ラベルを作成する際に、印字ラベル作成装置の制御回路によって実行される制御手順を表すフローチャートである。
【図９】印字ラベルの外観の一例を表す上面図である。
【図１０】カメラでＱＲコードを読み取って新たな印字ラベルを作成する変形例において、カメラでＱＲコードを読み取って新たな印字ラベルを作成する際に、印字ラベル作成装置の制御回路によって実行される制御手順を表すフローチャートである。
【図１１】印字ラベルの外観の一例を表す上面図である。
【発明を実施するための形態】
【００２３】
以下、本発明の一実施の形態を図面を参照しつつ説明する。
【００２４】
図１は、本実施形態の印字ラベル作成装置を表す構成図であり、図１（ａ）は、印字ラベル作成装置を表す前面図であり、図１（ｂ）は、図１（ａ）中の矢印Ａ方向から見た、印字ラベル作成装置の右側面図である。
【００２５】
図１（ａ）（ｂ）において、印字ラベル作成装置１は、装置本体２と、この装置本体２内で作成された１つの印字ラベルＬ（後述の図２参照）上の、二次元コードとしてのＱＲコード（登録商標）Ｒｑ（後述の図６参照）を光学的に読み取り可能な、カメラ２１１（読み取り手段）とを有する。
【００２６】
装置本体２は、例えば液晶ディスプレイからなり、各種情報や各種メッセージを表示する表示部２１２と、ユーザにより各種操作が行われる操作部２１０と、装置本体２内に配設されたカッタ２０７（後述の図２参照）を駆動するためのカットレバー２１３と、例えばＵｎｉｖｅｒｓａｌ  Ｓｅｒｉａｌ  Ｂｕｓ（ＵＳＢ）からなり、外部と接続可能なインターフェース２１４とを備えている。
【００２７】
操作部２１０には、文字、記号、及び数字等を入力するための入力キーや、カメラ２１１による上記ＱＲコードＲｑの読み取り動作を開始操作するためのシャッターキー２１０ａ（操作手段）等の種々の機能キー、等が含まれている。
【００２８】
インターフェース２１４には、この例では、ケーブル２１５を介して周知のパーソナルコンピュータ等の外部装置１００（後述の図２参照）が接続されている。あるいは、ＵＳＢメモリ等の外部メモリが接続されていてもよい。
【００２９】
カメラ２１１は、装置本体２の上部（図１（ａ）（ｂ）中の上部）に設けられており、装置本体２において表示部２１２の表示面が設けられた面の反対側、すなわち下面側（図１（ａ）中の紙面奥面側、図１（ｂ）中の右面側）に、レンズ２１１Ａを備えている。このカメラ２１１は、ユーザによりシャッターキー２１０ａが操作されることによって、上記ＱＲコードＲｑの読み取り動作を開始する。
【００３０】
図２は、印字ラベル作成装置１の詳細機能を表す機能ブロック図である。
【００３１】
図２において、印字ラベル作成装置１は、通信制御部２０８と、制御回路２０２と、各種情報を記憶するメモリ２０６と、上記操作部２１０と、上記カメラ２１１と、上記表示部２１２と、上記カットレバー２１３と、カートリッジホルダ２１６と、搬送装置２０９（搬送手段）と、印字ヘッド２０５（印字手段）と、カッタ２０７とを有する。
【００３２】
通信制御部２０８は、上記ケーブル２１５及びインターフェース２１４を介して接続された外部装置１００との間で行われる、情報通信の制御を行う。
【００３３】
制御回路２０２は、図示しないＣＰＵ、ＲＡＭ、及びＲＯＭを備えている。この制御回路２０２は、ＲＡＭの一時記憶機能を利用しつつ、ＲＯＭに予め記憶された各種プログラムを実行する。これにより、印字ラベル作成装置１全体の制御を行う。また、制御回路２０２は、通信制御部２０８を介して上記ケーブル２１５及びインターフェース２１４によって外部装置１００と接続されており、外部装置１００とデータの送受が可能となっている。
【００３４】
外部装置１００は、例えば所定のウェブサーバや外部メモリ等にアクセスし、印字ラベルＬに形成される１つのラベルイメージＲｉ（後述の図６参照）を表す、１つのラベルイメージデータを取得し、その取得したラベルイメージデータを印字ラベル作成装置１に入力可能となっている。
【００３５】
メモリ２０６は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ２０６は、１つのラベルイメージデータと、当該ラベルイメージデータをコード化（この例ではＱＲコード化）した１つのＱＲコード（詳細にはＱＲコードのデータ）とを、一組に関連づけて、複数組のラベルイメージデータ及びＱＲコード（詳細にはＱＲコードのデータ）を記憶している。なお、以下、符号を付さずに「ＱＲコード」と記載した場合は「ＱＲコードのデータ」のことを指し、「ＱＲコードＲｑ」と記載した場合は「印字ラベルＬに形成されたＱＲコード」のことを指す。また、メモリ２０６には、外部装置１００から取得された１つのラベルイメージデータと、当該ラベルイメージデータがコード化され生成された１つのＱＲコードとを、一組に関連づけて格納することが可能となっている。また、メモリ２０６に格納された複数組のラベルイメージデータ及びＱＲコードは、各組ごとに選択的にメモリ２０６から消去することが可能となっている。
【００３６】
カートリッジホルダ２１６は、テープ２０３（被印字テープ）を供給可能なカートリッジ２０１を着脱可能に構成されている。カートリッジ２０１は、テープ２０３を図示しないリール部材の周りに巻回したテープロール２０４（本来は渦巻き状であるが簡略化して同心円で図示している）を備えている。
【００３７】
搬送装置２０９は、印字ヘッド２０５に対向して設けられている。この搬送装置２０９は、制御回路２０２により制御されて、カートリッジホルダ２１６に装着したカートリッジ２０１から供給される、すなわち当該カートリッジ２０１のテープロール２０４から繰り出される、テープ２０３を搬送する。
【００３８】
印字ヘッド２０５は、制御回路２０２により制御されて、テープロール２０４から繰り出され搬送装置２０９により搬送されるテープ２０３に対し所望の印字を行う。
【００３９】
カッタ２０７は、ユーザによりカットレバー２１３が操作されることで、印字ヘッド２０５による印字が終了したテープ２０３を所定の長さに切断して１つの印字ラベルＬとする。
【００４０】
以上の基本構成において、本実施形態の特徴は、外部装置１００から取得した１つのラベルイメージデータと、当該ラベルイメージデータに対応する１つのＱＲコードとを、一組に関連づけてメモリ２０６に格納すること、メモリ２０６に格納された複数組のラベルイメージデータ及びＱＲコードを、各組ごとに選択的にメモリ２０６から消去可能なこと、及び、メモリ２０６に格納された複数組のラベルイメージデータ及びＱＲコードに基づき、各組のラベルイメージデータ及びＱＲコードをテープ２０３に印字することで、それぞれ１つの印字ラベルＬを作成すること、にある。以下、それらの詳細を順次説明する。
【００４１】
図３は、印字ラベル作成装置１の制御回路２０２によって実行される、格納処理に関する制御手順の一例を表すフローチャートである。
【００４２】
図３において、このフローに示す処理は、例えばユーザが操作部２１０を適宜に操作することにより開始する（「ＳＴＡＲＴ」位置）。まずステップＳ１０で、制御回路２０２は、ユーザによる適宜の操作により外部装置１００から出力された１つのラベルイメージデータを、ケーブル２１５、インターフェース２１４、及び通信制御部２０８を介して取得すなわち入力する。
【００４３】
その後、ステップＳ２０で、制御回路２０２は、上記ステップＳ１０で入力された１つのラベルイメージデータと、当該ラベルイメージデータに対して最適な解像度を表す印字解像度情報（例えば「１５０ｄｐｉ」など）とを、公知の適宜の手法によりコード化して、対応する１つのＱＲコードを生成する。すなわち、このステップＳ２０で生成されたＱＲコードには、上記ステップＳ１０で入力された１つのラベルイメージデータ、及び、当該ラベルイメージデータに対して最適な印字解像度情報が、コード化されている。なお、このステップＳ２０の手順が、各請求項記載の二次元コード生成手段として機能する。
【００４４】
そして、ステップＳ３０に移り、制御回路２０２は、メモリ２０６にアクセスする。そして、上記ステップＳ１０で入力された１つのラベルイメージデータと、当該ラベルイメージデータに対応して上記ステップＳ２０で生成された１つのＱＲコードとを、一組に関連づけてメモリ２０６に格納する。その後、このフローに示す処理を終了する。なお、このステップＳ３０の手順が、各請求項記載の格納処理手段として機能する。
【００４５】
図４は、印字ラベル作成装置１の制御回路２０２によって実行される、消去処理に関する制御手順の一例を表すフローチャートである。
【００４６】
図４において、このフローに示す処理は、例えばユーザが操作部２１０を適宜に操作することにより開始する（「ＳＴＡＲＴ」位置）。まずステップＳ１１０で、制御回路２０２は、メモリ２０６に格納された、ユーザによる操作部２１０の適宜の操作により選択された少なくとも１つ以上のラベルイメージデータと、当該ラベルイメージデータがコード化されて生成されたＱＲコードとを、消去対象として選択する。
【００４７】
その後、ステップＳ１２０で、制御回路２０２は、メモリ２０６にアクセスする。そして、メモリ２０６に格納された複数組のラベルイメージデータ及びＱＲコードのうち、上記ステップＳ１１０で消去対象として選択されたラベルイメージデータ及びＱＲコードを、メモリ２０６から消去する。すなわち、ステップＳ１２０では、制御回路２０２は、実質的には、メモリ２０６に格納された複数組のラベルイメージデータ及びＱＲコードを、各組ごとに選択的にメモリ２０６から消去する。そして、このフローに示す処理を終了する。なお、このステップＳ１２０の手順が、各請求項記載の消去処理手段として機能する。
【００４８】
図５は、ラベルイメージＲｉ及びＱＲコードＲｑが形成された印字ラベルＬを作成する際に、印字ラベル作成装置１の制御回路２０２によって実行される制御手順を表すフローチャートである。
【００４９】
図５において、このフローに示す処理は、例えばユーザが操作部２１０を適宜に操作することにより開始する（「ＳＴＡＲＴ」位置）。まずステップＳ２１０で、制御回路２０２は、メモリ２０６に格納された、ユーザによる操作部２１０の適宜の操作により選択された１つのラベルイメージデータと、当該ラベルイメージデータがコード化されて生成された１つのＱＲコードとを、印字対象として選択する。
【００５０】
その後、ステップＳ２２０で、制御回路２０２は、搬送装置２０９に制御信号を出力し、カートリッジホルダ２１６に装着されたカートリッジ２０１のテープロール２０４からのテープ２０３の繰り出し、すなわちテープ２０３の搬送を開始させる。
【００５１】
そして、ステップＳ２３０に移り、制御回路２０２は、テープ２０３が所定量だけ搬送されたかどうかを判定する。なお、この所定量とは、例えば、テープ２０３の図示しない印字領域の先端が、印字ヘッド２０５とほぼ対向する位置に到達するだけの搬送距離（いわゆる前余白用搬送量）である。所定量搬送されるまでステップＳ２３０の判定が満たされず、ループ待機し、所定量搬送されたらステップＳ２３０の判定が満たされて、ステップＳ２４０に移る。
【００５２】
ステップＳ２４０では、制御回路２０２は、印字ヘッド２０５に制御信号を出力し、搬送装置２０９により搬送されるテープ２０３の印字領域に対し、メモリ２０６に格納された、上記ステップＳ２１０で印字対象として選択された一組のラベルイメージデータ及びＱＲコードの印字を開始させる。言い換えれば、メモリ２０６に格納された、上記ステップＳ２１０で印字対象として選択されたラベルイメージデータ及びＱＲコードを一組にして、搬送装置２０９により搬送されるテープ２０３の印字領域に印字を開始するように、印字ヘッド２０５を制御する。
【００５３】
その後、ステップＳ２５０で、制御回路２０２は、上記ステップＳ２４０で開始した印字ヘッド２０５によるテープ２０３の印字領域へのラベルイメージデータ及びＱＲコードの印字がすべて完了しているかどうかを判定する。印字がすべて完了するまでステップＳ２５０の判定が満たされず、ループ待機し、印字がすべて完了したらステップＳ２５０の判定が満たされて、ステップＳ２６０に移る。
【００５４】
ステップＳ２６０では、制御回路２０２は、テープ２０３がさらに所定量（例えば印字領域のすべてがカッタ２０７を所定の長さ分越えるだけの搬送距離。いわゆる後余白用搬送量）だけ搬送されたかどうかを判定する。所定量搬送されるまでステップＳ２６０の判定が満たされず、ループ待機し、所定量搬送されたらステップＳ２６０の判定が満たされて、ステップＳ２７０に移る。
【００５５】
ステップＳ２７０では、制御回路２０２は、搬送装置２０９に制御信号を出力し、ステップＳ２２０で開始させたテープロール２０４からのテープ２０３の繰り出し、すなわちテープ２０３の搬送を停止させる。
【００５６】
そして、ステップＳ２８０では、制御回路２０２は、表示部２１２に表示信号を出力し、カットレバー２１３を操作することによりテープ２０３を切断可能な状態である旨の表示を行わせる。その後、このフローに示す処理を終了する。上記表示に応じてユーザがカットレバー２１３を操作すると、カッタ２０７が作動してテープ２０３が切断される。このカッタ２０７による切断によって、テープ２０３から印字ヘッド２０５による印字が行われた部分が切り離されて、１つの印字ラベルＬとなる。
【００５７】
なお、上記ステップＳ２４０及びステップＳ２５０では、制御回路２０２は、実質的には、メモリ２０６に格納された、上記ステップＳ２１０で印字対象として選択されたラベルイメージデータ及びＱＲコードを、一組にしてテープ２０３に印字を行い、１つの印字ラベルＬを作成するように、印字ヘッド２０５を制御している。すなわち、メモリ２０６に格納された複数組のラベルイメージデータ及びＱＲコードに基づき、各組のラベルイメージデータ及びＱＲコードをテープ２０３に印字することで、それぞれ１つの印字ラベルＬを作成するように、印字ヘッド２０５を制御している。したがって、ステップＳ２４０及びステップＳ２５０の手順が、各請求項記載の印字制御手段として機能する。
【００５８】
図６は、上記のようにして作成された印字ラベルＬの外観の一例を表す上面図である。
【００５９】
図６において、印字ラベルＬには、上記ラベルイメージデータに対応したラベルイメージＲｉ、及び、当該ラベルイメージデータがコード化されて生成された上記ＱＲコードに対応したＱＲコードＲｑが、印字により形成されている。この印字ラベルＬに形成されたＱＲコードＲｑには、当該ＱＲコードＲｑと共に印字ラベルＬに形成されたラベルイメージＲｉのラベルイメージデータ、及び、当該ラベルイメージデータに対して最適な印字解像度情報が、コード化されている。
【００６０】
以上説明したように、本実施形態においては、外部装置１００から取得した１つのラベルイメージデータと、当該ラベルイメージデータに対応する１つのＱＲコードとが、一組に関連づけられてメモリ２０６に格納され、記憶される（図３のステップＳ３０を参照）。そして、印字ヘッド２０５は、制御回路２０２の制御により、メモリ２０６に格納されたラベルイメージデータとＱＲコードとを一組にして、テープ２０３の印字領域に印字し、１つの印字ラベルＬを作成する。メモリ２０６は、このようなラベルイメージデータとＱＲコードとの組を複数組格納しており、印字ヘッド２０５は、各組のラベルイメージデータ及びＱＲコードを用いて、それぞれ１つの印字ラベルＬを作成することができる。
【００６１】
このようにして作成された印字ラベルＬには、上記ラベルイメージデータに対応したラベルイメージＲｉと、それに対応するＱＲコードＲｑとが形成されている（図６を参照）。これにより、当該印字ラベルＬが使用されて貼られた後、当該印字ラベルＬのＱＲコードＲｑに対しカメラ２１１によって読み取りを行うだけで、当該印字ラベルＬに形成されたラベルイメージＲｉのラベルイメージデータを取得することができる。この結果、上記貼られた印字ラベルＬのラベルイメージＲｉと同一のラベルイメージＲｉを備えた新たな印字ラベルＬを、簡単に作成することができる。また、上記複数組のラベルイメージデータ及びＱＲコードを各組ごとに用いて複数枚の印字ラベルＬを作成した場合には、図７に示すように、当該複数枚の印字ラベルＬを１枚の用紙Ｐに貼って一覧表形式とすることもできる。この場合には、ユーザは、一覧表として貼られた複数枚の印字ラベルＬのラベルイメージＲｉの中から１つを選択し、当該印字ラベルＬのＱＲコードＲｑに対して読み取りを行うことで、上記のようにして同一のラベルイメージＲｉが形成された印字ラベルＬを容易に作成することができる。
【００６２】
また、前述のようにして、外部装置１００から取得されたラベルイメージデータ及びこれに対応するＱＲコードが、一組になってメモリ２０６に順次格納されるが、不要となったラベルイメージデータ及びＱＲコードの組が存在する場合や、メモリ２０６の記憶容量が一杯になった場合には、各組ごとに上記ラベルイメージデータ及びＱＲコードを消去することができる。この場合、消去する組のラベルイメージデータ及びＱＲコードについては、消去前に当該ラベルイメージデータ及びＱＲコードを印字して印字ラベルＬを作成しておけば、メモリ２０６からは消去されてもデータとしては失われない。
【００６３】
以上のように、本実施形態においては、所望のラベルイメージＲｉ及びこれに対応するＱＲコードＲｑが形成された印字ラベルＬを作成することができるので、ユーザの利便性を向上することができる。
【００６４】
また、本実施形態では特に、外部装置１００から取得された１つのラベルイメージデータをコード化して、対応する１つのＱＲコードを生成する（図３のステップＳ２０を参照）。その後、１つのラベルイメージデータと、これに対応して生成された１つのＱＲコードとを、一組に関連づけてメモリ２０６に格納する。そして、メモリ２０６に格納された、ラベルイメージデータと当該ラベルイメージデータがコード化されて生成されたＱＲコードとを、一組にしてテープ２０３に印字を行い、１つの印字ラベルＬを作成するように、印字ヘッド２０５を制御する。これにより、外部装置１００からどのような種類や態様のラベルイメージデータが取得された場合であっても、これをＱＲコード化して印字した印字ラベルＬを作成することができる。すなわち、どのようなラベルイメージＲｉであっても、確実に再現可能なＱＲコードとして、印字ラベルＬに記録することができる。
【００６５】
また、本実施形態では特に、１つのラベルイメージデータに対して最適な印字解像度情報を、当該ラベルイメージデータとともにコード化し、対応する１つのＱＲコードを生成する。これにより、印字ラベルＬに形成されたＱＲコードを読み取って、対応するラベルイメージデータを印字してラベルイメージＲｉを形成するとき、当該ラベルイメージデータの印字に対し最適な解像度で印字を行うことができる。すなわち、当該印字を行う印字装置の通常の解像度が異なる値である場合であっても、上記最適な解像度に確実に切り替えて当該ラベルイメージデータの印字を行うことができる。これにより、最適な解像度により所望の大きさで印字できるので見栄えのよいラベルイメージＲｉを確実に形成することができる。
【００６６】
なお、本発明は、上記実施形態に限られるものではなく、その趣旨及び技術的思想を逸脱しない範囲内で種々の変形が可能である。以下、そのような変形例を順次説明する。
【００６７】
（１）テキスト及びこれに対応するＱＲコードが形成された印字ラベルを作成する場合
すなわち、テキストコード及びこれをコード化したＱＲコードを、一組にしてテープ２０３に印字を行い、テキスト及びこれに対応するＱＲコードＲｑが形成された印字ラベルＬを作成するようにしてもよい。
【００６８】
本変形例においては、メモリ２０６は、上記実施形態での記憶内容に加えさらに、印字ラベルＬに形成される１つのテキストＲｔ（後述の図９参照）を表す、１つのテキストコード（テキストデータ。例えばＥｐｓｏｎ  Ｓｔａｎｄａｒｄ  Ｃｏｄｅ  ｆｏｒ  Ｐｒｉｎｔｅｒ（ＥＳＣ／Ｐ）形式のテキストコード）と、当該テキストコードをコード化（この例ではＱＲコード化）した１つのＱＲコードとを、一組に関連づけて、複数組のテキストコード及びＱＲコードを記憶している。
【００６９】
図８は、テキストＲｔ及びＱＲコードＲｑが形成された印字ラベルＬを作成する際に、印字ラベル作成装置１の制御回路２０２によって実行される制御手順を表すフローチャートである。なお、この図８は、前述の図５に対応する図である。図５と同等の手順には同符号を付し、説明を適宜省略する。
【００７０】
図８において、前述の図５と異なる点は、ステップＳ２１０、ステップＳ２４０、及びステップＳ２５０に代えて、ステップＳ２１０′、ステップＳ２４０′、及びステップＳ２５０′を設けた点である。
【００７１】
このフローに示す処理は、例えばユーザが操作部２１０を適宜に操作することにより開始する（「ＳＴＡＲＴ」位置）。まずステップＳ２１０に代えて設けたステップＳ２１０′で、制御回路２０２は、メモリ２０６に記憶された、ユーザによる操作部２１０の適宜の操作により選択された１つのテキストコードと、当該テキストコードをコード化したＱＲコードとを、印字対象として選択する。
【００７２】
その後のステップＳ２２０とステップＳ２３０とは、前述の図５と同様であり、ステップＳ２３０で、テープ２０３が所定量だけ搬送されたかどうかを判定し、テープ２０３が所定量搬送されたら、ステップＳ２３０の判定が満たされて、ステップＳ２４０に代えて設けたステップＳ２４０′に移る。
【００７３】
ステップＳ２４０′では、制御回路２０２は、印字ヘッド２０５に制御信号を出力し、搬送装置２０９により搬送されるテープ２０３の印字領域に対し、メモリ２０６に記憶された、上記ステップＳ２１０′で印字対象として選択された一組のテキストコード及びＱＲコードの印字を開始させる。言い換えれば、メモリ２０６に記憶された、上記ステップＳ２１０′で印字対象として選択されたテキストコード及びＱＲコードを一組にして、搬送装置２０９により搬送されるテープ２０３の印字領域に印字を開始するように、印字ヘッド２０５を制御する。
【００７４】
そして、ステップＳ２５０に代えて設けたステップＳ２５０′に移り、制御回路２０２は、上記ステップＳ２４０′で開始した印字ヘッド２０５によるテープ２０３の印字領域へのテキストコード及びＱＲコードの印字がすべて完了しているかどうかを判定する。印字がすべて完了するまでステップＳ２５０′の判定が満たされず、ループ待機し、印字がすべて完了したらステップＳ２５０′の判定が満たされて、ステップＳ２６０に移る。
【００７５】
その後のステップＳ２６０、ステップＳ２７０、及びステップＳ２８０は、前述の図５と同様であるので、説明を省略する。
【００７６】
なお、上記ステップＳ２４０′及びステップＳ２５０′では、制御回路２０２は、実質的には、メモリ２０６に記憶された、上記ステップＳ２１０′で印字対象として選択されたテキストコード及びＱＲコードを、一組にしてテープ２０３に印字を行い、１つの印字ラベルＬを作成するように、印字ヘッド２０５を制御している。したがって、ステップＳ２４０′及びステップＳ２５０′の手順も、各請求項記載の印字制御手段として機能する。
【００７７】
図９は、上記のようにして作成された印字ラベルＬの外観の一例を表す上面図である。
【００７８】
図９において、印字ラベルＬには、上記テキストコードに対応したテキストＲｔ（この例では「ＡＢＣＤ」の文字）、及び、当該テキストコードをコード化した上記ＱＲコードに対応したＱＲコードＲｑが、印字により形成されている。この印字ラベルＬに形成されたＱＲコードＲｑには、当該ＱＲコードＲｑと共に印字ラベルＬに形成されたテキストＲｔのテキストコードが、コード化されている。
【００７９】
以上説明した本変形例においては、メモリ２０６は、１つのテキストコードと、当該テキストコードをコード化した１つのＱＲコードとを、一組に関連づけて記憶している。そして、メモリ２０６に記憶された、テキストコードと当該テキストコードをコード化したＱＲコードとを、一組にしてテープ２０３に印字を行い、１つの印字ラベルＬを作成するように印字ヘッド２０５を制御する。これにより、ラベルイメージＲｉのみならず、テキストＲｔと、これに対応したＱＲコードＲｑとを形成した印字ラベルＬを作成することができる。したがって、ユーザの利便性をさらに向上することができる。
【００８０】
（２）カメラでＱＲコードを読み取って新たな印字ラベルを作成する場合
すなわち、装置本体２内で作成された１つの印字ラベルＬ上の、ＱＲコードＲｑをカメラ２１１で読み取り、その読み取ったＱＲコードＲｑに対応したラベルイメージデータ又はテキストデータをテープ２０３に印字し、新たな印字ラベルＬを作成するようにしてもよい。
【００８１】
図１０は、カメラ２１１でＱＲコードＲｑを読み取って新たな印字ラベルＬを作成する際に、印字ラベル作成装置１の制御回路２０２によって実行される制御手順を表すフローチャートである。なお、この図１０は、前述の図５及び図８に対応する図である。図５と同等の手順には同符号を付し、説明を適宜省略する。
【００８２】
図１０において、前述の図５と異なる点は、ステップＳ２１０を省略し、ステップＳ２４０及びステップＳ２５０に代えて、ステップＳ２４０″及びステップＳ２５０″を設け、さらにステップＳ２０２、ステップＳ２０４、ステップＳ２０６、ステップＳ２０８、及びステップＳ２０９を新たに設けた点である。
【００８３】
このフローに示す処理は、例えばユーザが操作部２１０を適宜に操作することにより開始する（「ＳＴＡＲＴ」位置）。まず新たに設けたステップＳ２０２で、制御回路２０２は、ユーザにより前述のシャッターキー２１０ａが操作されたかどうかを判定する。シャッターキー２１０ａが操作されるまでステップＳ２０２の判定が満たされず、ループ待機し、シャッターキー２１０ａが操作されたらステップＳ２０２の判定が満たされて、新たに設けたステップＳ２０４に移る。
【００８４】
ステップＳ２０４では、制御回路２０２は、カメラ２１１に制御信号を出力し、１つの印字ラベルＬに形成されたＱＲコードＲｑの読み取り動作を開始させる。
【００８５】
その後、新たに設けたステップＳ２０６で、制御回路２０２は、カメラ２１１によるＱＲコードＲｑの読み取りが成功したかどうかを判定する。ＱＲコードＲｑの読み取りが成功するまでステップＳ２０６の判定が満たされず、ループ待機する。そして、ＱＲコードＲｑの読み取りが成功したらステップＳ２０６の判定が満たされて、カメラ２１１により読み取られたＱＲコードＲｑに対応した前述のラベルイメージデータ又は前述のテキストコードを取得し、新たに設けたステップＳ２０８に移る。
【００８６】
ステップＳ２０８では、制御回路２０２は、カメラ２１１に制御信号を出力し、ステップＳ２０４で開始させたＱＲコードＲｑの読み取り動作を終了させる。
【００８７】
そして、新たに設けたステップＳ２０９に移り、制御回路２０２は、上記ステップＳ２０６で取得されたラベルイメージデータ又はテキストコードを、印字対象に設定する。
【００８８】
その後のステップＳ２２０とステップＳ２３０とは、前述の図５と同様であり、ステップＳ２３０で、テープ２０３が所定量だけ搬送されたかどうかを判定し、テープ２０３が所定量搬送されたら、ステップＳ２３０の判定が満たされて、ステップＳ２４０に代えて設けたステップＳ２４０″に移る。
【００８９】
ステップＳ２４０″は、制御回路２０２は、印字ヘッド２０５に制御信号を出力し、搬送装置２０９により搬送されるテープ２０３の印字領域に対し、上記ステップＳ２０９で印字対象に設定されたラベルイメージデータ又はテキストコードの印字を開始させる。言い換えれば、メモリ２０６の記憶内容に基づき、搬送装置２０９により搬送されるテープ２０３の印字領域に対し、上記ステップＳ２０９で印字対象に設定されたラベルイメージデータ又はテキストコードの印字を開始するように、印字ヘッド２０５を制御する。
【００９０】
そして、ステップＳ２５０に代えて設けたステップＳ２５０″に移り、制御回路２０２は、上記ステップＳ２４０″で開始した印字ヘッド２０５によるテープ２０３の印字領域へのラベルイメージデータ又はテキストコードの印字がすべて完了しているかどうかを判定する。印字がすべて完了するまでステップＳ２５０″の判定が満たされず、ループ待機し、印字がすべて完了したらステップＳ２５０″の判定が満たされて、ステップＳ２６０に移る。
【００９１】
その後のステップＳ２６０、ステップＳ２７０、及びステップＳ２８０は、前述の図５と同様であるので、説明を省略する。
【００９２】
なお、上記ステップＳ２４０″及びステップＳ２５０″では、制御回路２０２は、実質的には、メモリ２０６の記憶内容に基づき、カメラ２１１により読み取られたＱＲコードＲｑに対応したラベルイメージデータ又はテキストコードをテープ２０３に印字し、新たな印字ラベルＬを作成するように、印字ヘッド２０５を制御している。したがって、ステップＳ２４０″及びステップＳ２５０″の手順も、各請求項記載の印字制御手段として機能する。
【００９３】
図１１は、上記のようにして作成された印字ラベルＬの外観の一例を表す上面図である。なお、図１１（ａ）は、カメラ２１１により読み取られたＱＲコードＲｑにコード化されているデータがラベルイメージデータであった場合に対応し、図１１（ｂ）は、カメラ２１１により読み取られたＱＲコードＲｑにコード化されているデータがテキストコードであった場合に対応する。
【００９４】
図１１（ａ）に示すように、カメラ２１１により読み取られたＱＲコードＲｑにコード化されているデータがラベルイメージデータであった場合に作成された印字ラベルＬには、当該ラベルイメージデータに対応したラベルイメージＲｉが、印字により形成されている。
【００９５】
一方、図１１（ｂ）に示すように、カメラ２１１により読み取られたＱＲコードＲｑにコード化されているデータがテキストコードであった場合に作成された印字ラベルＬには、当該テキストコードに対応したテキストＲｔ（この例では「ＡＢＣＤ」の文字）が、印字により形成されている。
【００９６】
以上説明した本変形例においては、制御回路２０２の制御に基づき印字ヘッド２０５により作成された１つの印字ラベルＬ、すなわち自ら作成した１つの印字ラベルＬの、ＱＲコードＲｑを読み取り可能なカメラ２１１を有している（図１を参照）。そして、メモリ２０６の記憶内容に基づき、カメラ２１１により読み取られたＱＲコードＲｑに対応したラベルイメージデータ又はテキストデータをテープ２０３に印字し、新たな印字ラベルＬを作成するように、印字ヘッド２０５を制御する。これにより、当該印字ラベルＬのＱＲコードＲｑに対し上記カメラ２１１を操作して読み取りを行わせるだけで、当該印字ラベルＬに形成されたラベルイメージＲｉと同一のラベルイメージＲｉを備えた印字ラベルＬを、簡単に再作成することができる。したがって、メモリ２０６内に格納されたラベルイメージデータをいちいち検索し操作手段等により指定する必要があった従来構造に比べ、極めて容易に所望のラベルイメージＲｉの印字ラベルＬを作成することができる。また、カメラ２１１による読み取り動作を開始操作するためのシャッターキー２１０ａ有しているので、ユーザの所望のタイミングで印字ラベルＬのＱＲコードＲｑの読み取りを開始し、対応するラベルイメージＲｉの印字ラベルＬを作成することができる。
【００９７】
（３）その他
なお、以上においては、外部装置１００から取得した１つのラベルイメージデータと、当該ラベルイメージデータをコード化した１つのＱＲコードとを、一組に関連づけてメモリ２０６に格納していたが、これに限られない。すなわち、外部装置１００から取得した１つのラベルイメージデータと、当該ラベルイメージデータに予め関連付けられた１つのＱＲコードとを、一組に関連づけてメモリ２０６に格納するようにしてもよい。この場合も同様の効果を得る。
【００９８】
また、以上においては、ラベルイメージデータやテキストコードに対応する二次元コードをＱＲコードとした場合を例にとって説明したが、これに限られず、ラベルイメージデータやテキストコードに対応する二次元コードとしては、例えばＰＤＦ４１７、ベリコード、マキシコード等でもよい。
【００９９】
さらに、以上においては、カートリッジ２０１のテープロール２０４から繰り出された被印字テープとしてのテープ２０３に印字を行ってこれを切断し印字ラベルＬを作成した場合を例にとって説明したが、これに限られず、基材テープと、当該基材テープとは別のカバーフィルム（被印字テープ）に印字を行い、それらを貼り合わせたテープを用いて印字ラベルＬを作成する方式としてもよい。
【０１００】
さらに、以上は、テープ２０３がリール部材の周りに巻回されてテープロール２０４を構成し、カートリッジ２０１内にそのテープロール２０４が配置されてテープ２０３が繰り出される場合を例にとって説明したが、これに限られない。例えば、長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジを印字ラベル作成装置１側のカートリッジホルダに装着して、上記収納部から移送、搬送して印字を行い印字ラベルＬを作成するようにしてもよい。
【０１０１】
さらには、上記ロールを直接印字ラベル作成装置１側に着脱可能に装着する構成や、長尺平紙状あるいは短冊状のテープやシートを印字ラベル作成装置１外より１枚ずつ所定のフィーダ機構によって移送し印字ラベル作成装置１内へ供給する構成も考えられ、さらにはカートリッジ２０１のような装置本体２側に着脱可能なものにも限られず、印字ラベル作成装置１側に着脱不能のいわゆる据え付け型あるいは一体型としてテープロール２０４を設けることも考えられる。この場合も同様の効果を得る。
【０１０２】
なお、以上において、図２中に示す矢印は信号の流れの一例を示すものであり、信号の流れ方向を限定するものではない。
【０１０３】
また、図３、図４、図５等に示すフローチャートは本発明を上記フローに示す手順に限定するものではなく、発明の趣旨及び技術的思想を逸脱しない範囲内で手順の追加・削除又は順番の変更等をしてもよい。
【０１０４】
また、以上既に述べた以外にも、上記実施形態や各変形例による手法を適宜組み合わせて利用しても良い。
【０１０５】
その他、一々例示はしないが、本発明は、その趣旨を逸脱しない範囲内において、種々の変更が加えられて実施されるものである。
【符号の説明】
【０１０６】
１                印字ラベル作成装置
１００            外部装置（外部）
２０１            カートリッジ
２０３            テープ（被印字テープ）
２０２            制御回路
２０５            印字ヘッド（印字手段）
２０６            メモリ
２０９            搬送装置（搬送手段）
２１０ａ          シャッターキー（操作手段）
２１１            カメラ（読み取り手段）
２１６            カートリッジホルダ
Ｌ                印字ラベル
Ｒｉ              ラベルイメージ
Ｒｑ              ＱＲコード（二次元コード）
Ｒｔ              テキスト
【図１】
0005641319.tif 000002
【図２】
0005641319.tif 000003
【図３】
0005641319.tif 000004
【図４】
0005641319.tif 000005
【図５】
0005641319.tif 000006
【図６】
0005641319.tif 000007
【図７】
0005641319.tif 000008
【図８】
0005641319.tif 000009
【図９】
0005641319.tif 000010
【図１０】
0005641319.tif 000011
【図１１】
0005641319.tif 000012